(57)【特許請求の範囲】
【請求項１】
半円筒形状の表面を有する複数の凸状レンズが並列したレンチキュラーレンズと、
前記凸状レンズの前記半円筒形状の表面とは反対側に配置されたレンチキュラー画像と、を有し、
前記レンチキュラー画像は、複数の表示用画像からそれぞれストライプ状に抽出され、前記凸状レンズ下のそれぞれ対応する位置に配列された複数の表示用画像列と、
前記複数の表示用画像列のうち、互いに異なる前記表示用画像から抽出され、少なくとも一部において互いに色が異なる隣接する表示用画像列の間に配置され、且つ、前記隣接する表示用画像列の色が互いに異なる位置において一方の色と他方の色との間にある色を有する補間画像列と、を含み、
前記補間画像列として、前記隣接する表示用画像列の一方の色から他方の色に対して、マンセル表色系を構成する色相、明度、及び彩度の各要素がそれぞれ段階的に近づく複数の前記補間画像列が配置されているレンチキュラー表示体。
【請求項２】
前記複数の表示用画像が、それぞれ文字を含む請求項１に記載のレンチキュラー表示体。
【請求項３】
複数の表示用画像からそれぞれストライプ状に抽出された表示用画像列がそれぞれ対応する位置に隣接して配列され、且つ、互いに異なる前記表示用画像から抽出され、少なくとも一部において互いに色が異なる隣接する表示用画像列の間に、前記隣接する表示用画像列の一方の色と他方の色との間にある色を有する補間画像列が配置された画像列群を作る工程を有し、
前記補間画像列として、前記隣接する表示用画像列の一方の色から他方の色に対して、マンセル表色系を構成する色相、明度、及び彩度の各要素がそれぞれ段階的に近づく複数の前記補間画像列を配置するレンチキュラー画像の形成方法。
【請求項４】
前記複数の表示用画像が、それぞれ文字を含む請求項３に記載のレンチキュラー画像の形成方法。
【請求項５】
記録媒体の表面に請求項３又は請求項４に記載の方法によりレンチキュラー画像を形成する工程と、
前記記録媒体の前記レンチキュラー画像が形成された面と、半円筒形状の表面を有する複数の凸状レンズが並列したレンチキュラーレンズの前記半円筒形状の表面とは反対側の面とを貼り合わせる工程と、
を有するレンチキュラー表示体の製造方法。
【請求項６】
半円筒形状の表面を有する複数の凸状レンズが並列したレンチキュラーレンズの前記凸状レンズの前記半円筒形状の表面とは反対側の面に、請求項３又は請求項４に記載の方法によりレンチキュラー画像を形成する工程を有するレンチキュラー表示体の製造方法。
【発明の詳細な説明】
【技術分野】
【０００１】
本開示は、レンチキュラー表示体、レンチキュラー画像の形成方法、及びレンチキュラー表示体の製造方法に関する。
【背景技術】
【０００２】
見る角度によって異なる画像を表示する媒体として、半円筒形の表面を有する凸状レンズが並列したレンチキュラーレンズを用いたレンチキュラー表示体が知られている。
レンチキュラー表示体は、一般的に、レンチキュラーレンズの裏面側（凸状レンズの半円筒形の表面と逆の面）に、インターレースされた複数の画像を組合せた画像列群（レンチキュラー画像）を配置し、それらの画像列群をレンチキュラーレンズを通して観察したときに、観察する角度により画像列群のうち１種類あるいは２種類以上の画像が表示される。【０００３】
特開２０００−９８９４８号公報には、レンチキュラーレンズに相当するレンチキュラーシートと複数の画像を用いて合成されたサンプリング画像とからなる立体、アニメーション、或いはチェンジング画像表示方式において、画像配列に画像変化の無い部分を抽出した画像を組み込み配列したことで、観察時のクロストークを軽減した画像表示ディスプレイが開示されている。【０００４】
特表２０１１−５３０１３４号公報には、推定されるゴーストアーチファクトを低減するように形成されたゴースト除去要素を複数のソース画像上に重ね合わせ、空間多重画像を形成する処理済ソース画像をインターレースし、光学要素を空間多重画像に付着することによってレンチキュラーイメージングの物品を作成するための方法が開示されている。
【発明の概要】
【発明が解決しようとする課題】
【０００５】
図１６は、レンチキュラー表示体によって表示させる２つの表示用画像の一例を示す概略図である。図１７は、図１６においてＳで示す領域の画像列の配列の一例を示す概略図である。また、図１８は、図１７に示す画像列群を含むレンチキュラー表示体の厚さ方向の構成の一例を示す概略図であり、一部は省略されている。【０００６】
１つのレンチキュラー表示体において、例えば、図１６に示すように互いに異なる文字を含む表示用画像Ａ（以下、「画像Ａ」という場合がある。）と表示用画像Ｂ（以下、「画像Ｂ」という場合がある。）をそれぞれ別々に表示する場合、チェンジング、すなわち見る角度によって表示用画像が切り替わるように、レンチキュラーレンズを構成する凸状レンズの半円筒形状の表面とは反対側（裏面側）に各表示用画像Ａ，Ｂを表示するための表示用画像列がそれぞれ対応する位置に並列して配置（配列）される。【０００７】
例えばＮ個（Ｎは２以上の整数）の凸状レンズが並列したレンチキュラーレンズを備える場合、図１６に示すように凸状レンズが並列した方向の一端から数えてｎ番目（ｎはＮ以下の任意の整数）の凸状レンズ下のＳで示される領域には、図１７に示されるように画像Ａ、Ｂをそれぞれストライプ状に分割して抽出した画像列Ａｎと画像列Ｂｎが隣り合うように並列してインターレース状に配置される。図１８に示すように、１番目〜Ｎ番目までの凸状レンズ下においてｎ番目の凸状レンズと同様にしてそれぞれ画像Ａ，Ｂから抽出された画像列がそれぞれ対応した位置で並列して配置（すなわち、インターレースされた画像列群２００ｎが配置）される。そして、レンチキュラーレンズを通じて観察者の見る角度によって、画像Ａから抽出された画像列が合成されることにより画像Ａが表示され、あるいは、画像Ｂから抽出された画像列が合成されることにより画像Ｂが表示される。【０００８】
このようにチェンジング効果を与える画像列が、一方の画像と他方の画像が隣り合うようにインターレースされ、レンチキュラーレンズを構成する各凸状レンズに対し、インターレースされた画像が連続して並ぶため、画像Ａから画像Ｂ又は画像Ｂから画像Ａへと切替わる箇所が発生する。
例えば、凸状レンズの長手方向を縦方向に向けたレンチキュラー表示体に対し、両眼で横方向に観察する場合、左右の眼でそれぞれ異なる画像（左眼：画像Ａ、右眼：画像Ｂ、またはその逆）を観察する角度が生じ、そこでは画像が破綻する。特にそれぞれの画像が文字を含む場合はそれぞれの文字の識別が困難となる。
また、例えば、レンチキュラー表示体に対して観察者が移動しながらレンチキュラー表示体を観察する場合、一方の文字から他方の文字へ切替わる際、双方の文字が知覚されるため可読性が失われる。
また、画像Ａ、Ｂそれぞれの色（色相、明度、彩度）が大きく異なる場合、双方の眼に違いの大きい画像が入るため、より文字の可読性が損なわれる。【０００９】
例えば、特開２０００−９８９４８号公報に開示されているレンチキュラー表示体（画像表示ディスプレイ）では、表示する複数の画像の背景に画像変化の無い部分が存在することが前提であり、背景に画像変化の無い部分が存在する画像以外は適用できない。また、画像変化する箇所の占める面積が大きい場合、クロストークをなくすことはできないため、大面積が自然に変化する画像ディスプレイはできない。【００１０】
また、特表２０１１−５３０１３４号公報本開示に開示されているレンチキュラーイメージングの物品を作成する方法では、ゴーストアーチファクトを除去するため複雑なステップが必要である。【００１１】
本開示は、複数の表示用画像が重なって画像の識別が困難となる表示が抑制されるレンチキュラー表示体、レンチキュラー画像の形成方法、及びレンチキュラー表示体の製造方法を提供することを目的とする。
【課題を解決するための手段】
【００１２】
上記目的を達成するため、以下の発明が提供される。
＜１＞  半円筒形状の表面を有する複数の凸状レンズが並列したレンチキュラーレンズと、
凸状レンズの半円筒形状の表面とは反対側に配置されたレンチキュラー画像と、を有し、
レンチキュラー画像は、複数の表示用画像からそれぞれストライプ状に抽出され、凸状レンズ下のそれぞれ対応する位置に配列された複数の表示用画像列と、
複数の表示用画像列のうち、互いに異なる表示用画像から抽出され、少なくとも一部において互いに色が異なる隣接する表示用画像列の間に配置され、且つ、隣接する表示用画像列の色が互いに異なる位置において一方の色と他方の色との間にある色を有する補間画像列と、を含み、
前記補間画像列として、前記隣接する表示用画像列の一方の色から他方の色に対して、マンセル表色系を構成する色相、明度、及び彩度の各要素がそれぞれ段階的に近づく複数の前記補間画像列が配置されているレンチキュラー表示体。
＜２＞  複数の表示用画像が、それぞれ文字を含む＜１＞に記載のレンチキュラー表示体
【００１３】
＜３＞  複数の表示用画像からそれぞれストライプ状に抽出された表示用画像列がそれぞれ対応する位置に隣接して配列され、且つ、互いに異なる表示用画像から抽出され、少なくとも一部において互いに色が異なる隣接する表示用画像列の間に、隣接する表示用画像列の一方の色と他方の色との間にある色を有する補間画像列が配置された画像列群を作る工程を有し、
前記補間画像列として、前記隣接する表示用画像列の一方の色から他方の色に対して、マンセル表色系を構成する色相、明度、及び彩度の各要素がそれぞれ段階的に近づく複数の前記補間画像列を配置するレンチキュラー画像の形成方法。
＜４＞  複数の表示用画像が、それぞれ文字を含む＜３＞に記載のレンチキュラー画像の形成方法。
＜５＞  記録媒体の表面に＜３＞又は＜４＞に記載の方法によりレンチキュラー画像を形成する工程と、
記録媒体のレンチキュラー画像が形成された面と、半円筒形状の表面を有する複数の凸状レンズが並列したレンチキュラーレンズの半円筒形状の表面とは反対側の面とを貼り合わせる工程と、
を有するレンチキュラー表示体の製造方法。
＜６＞  半円筒形状の表面を有する複数の凸状レンズが並列したレンチキュラーレンズの凸状レンズの半円筒形状の表面とは反対側の面に、＜３＞又は＜４＞に記載の方法によりレンチキュラー画像を形成する工程を有するレンチキュラー表示体の製造方法。
【発明の効果】
【００１４】
本開示によれば、複数の表示用画像が重なって画像の識別が困難となる表示が抑制されるレンチキュラー表示体、レンチキュラー画像の形成方法、及びレンチキュラー表示体の製造方法が提供される。
【図面の簡単な説明】
【００１５】
【図１】本開示に係るレンチキュラー表示体の一例を示す概略図である。
【図２】本開示のレンチキュラー表示体における１つのレンズ下に配置されている画像列群の一例を示す概略図である。
【図３】図２に示す画像列群を示す概略平面図である。
【図４】マンセル表色系の色相環の一例を示す図である。
【図５】マンセル表色系の色相、明度、彩度を全て含めて体系化した色立体の一例を示す図である。
【図６】画像列群の他の例を示す概略平面図である。
【図７】レンズの長手方向ｙ及び幅方向ｘに色が変化している２つの表示用画像列と、２つの表示用画像列の間に配置されている補間画像列とを含む画像列群の一例を示す概略図である。
【図８】本開示に係るレンチキュラー表示体の一例において別々に表示する２つの表示用画像と２つの表示用画像から作られた補間画像の一例を示す概略図である。
【図９】図８においてＳで示す領域の画像列群（レンズ１本分のインターレースされた画像列群）の一例を示す概略図である。
【図１０】図９に示す画像列群を含むレンチキュラー表示体の厚さ方向の構成の一例を示す概略図である。
【図１１】本開示に係るレンチキュラー表示体の他の例において別々に表示する２つの表示用画像と２つの表示用画像から作られた補間画像の一例を示す概略図である。
【図１２】図１１におけるＴで示す領域の画像列群（レンズ１本分のインターレースされた画像列群）の一例を示す概略図である。
【図１３】本開示に係るレンチキュラー表示体の他の例において別々に表示する２つの表示用画像と２つの表示用画像から作られた３つの補間画像の一例を示す概略図である。
【図１４】図１３においてＳで示す領域の画像列群の一例を示す概略図である。
【図１５】図１４に示す画像列群（レンズ１本分のインターレースされた画像列群）を含むレンチキュラー表示体の厚さ方向の構成の一例を示す概略図である。
【図１６】従来のレンチキュラー表示体の一例において別々に表示する２つの表示用画像を示す概略図である。
【図１７】図１６においてＳで示す領域の画像列群の一例を示す概略図である。
【図１８】図１７に示す画像列群を含む従来のレンチキュラー表示体の厚さ方向の構成の一例を示す概略図である。
【発明を実施するための形態】
【００１６】
以下、本開示の実施形態について添付の図面を参照しながら詳細に説明する。なお、本発明は、以下に説明する実施態様に限定されるものではない。以下に説明する実施形態において重複する説明及び符号については、省略する場合がある。
【００１７】
本開示の実施形態に係るレンチキュラー表示体は、半円筒形状の表面を有する複数の凸状レンズ（以下、「レンズ」という場合がある。）が並列したレンチキュラーレンズと、凸状レンズの半円筒形状の表面とは反対側に配置されたレンチキュラー画像と、を有し、レンチキュラー画像は、複数の表示用画像からそれぞれストライプ状に抽出され、凸状レンズ下のそれぞれ対応する位置に配列された複数の表示用画像列と、複数の表示用画像列のうち、互いに異なる表示用画像から抽出され、少なくとも一部において互いに色が異なる隣接する表示用画像列の間に配置され、且つ、隣接する表示用画像列の色が互いに異なる位置において一方の色と他方の色との間にある色を有する補間画像列と、を含む。
【００１８】
図１は、本開示に係るレンチキュラー表示体の一例を示す概略図である。図１に示すレンチキュラー表示体１０は、半円筒形状の表面を有する複数の凸状レンズ１２Ａが並列したレンチキュラーレンズ１２と、レンチキュラーレンズ１２の凸状レンズ１２Ａの半円筒形状の表面とは反対側（以下、「裏面側」という場合がある。）に配置されたレンチキュラー画像１４と、を有する。
【００１９】
ここで、本明細書の用語の意味について説明する。
「表示用画像」とは、レンチキュラー表示体によって表示することを目的とした画像、すなわち、観察者がレンチキュラー表示体をレンチキュラーレンズ側から観察したときに観察者に認識させることを目的とした画像を意味する。
「補間画像」とは、観察者がレンチキュラー表示体を観察する角度が変化して、表示用画像が別の表示用画像に切り替わる間に表示され得る画像であり、本来、表示を目的としない画像を意味する。
「画像列」とは、レンチキュラーレンズ下においてレンズの長手方向と平行に配置され、表示用画像又は補間画像の一部を構成する帯状の画像を意味する。
「表示用画像列」とは、表示用画像からストライプ状に抽出され、表示用画像の一部を構成する画像列を意味する。
「補間画像列」とは、少なくとも一部において互いに色が異なる隣接する表示用画像列の間に配置されており、隣接する表示用画像列の一方の色と他方の色との間にある色を有する画像列を意味する。
「表示用画像配列」とは、複数の同じ表示用画像列が１つのレンズ下でレンズの幅方向に並列した集まりを意味する。
「画像列群」とは、１つのレンズ下に配置されている画像列の集合体を意味する。
【００２０】
また、「隣接する表示用画像列」とは、異なる表示用画像からそれぞれ抽出された２つの表示用画像列が、１つの凸状レンズ下において又は隣同士の凸状レンズ下において隣り合って配列されていることを意味し、必ずしも表示用画像列が接した状態にあることに限定されない。
また、補間画像列が有する「隣接する表示用画像列の一方の色と他方の色との間にある色」とは、後述するマンセル表色系を構成する色相、明度、及び彩度から選ばれる少なくとも１つの要素（属性）について、隣接する表示用画像列の一方の要素を他方の要素に近づけた色（以下、「補間色」と記す場合がある。）を意味する。なお、隣接する表示用画像列に配置されている補間画像列は、隣接する表示用画像列に対して、それぞれ対応する位置において上記色相、明度、及び彩度から選ばれる少なくとも１つの要素（属性）について同じ割合で色が変化されている。
【００２１】
（レンチキュラーレンズ）
レンチキュラーレンズは、本実施形態に係るレンチキュラー表示体を観察する側において半円筒形状の表面を有する複数の凸状レンズが並列した構成を有し、光透過性を有する樹脂によって形成されている。
【００２２】
レンチキュラーレンズ１２を構成する樹脂としては、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、アクリロニトリル-スチレン共重合樹脂（ＡＳ樹脂）、ポリプロピレン樹脂、ポリエチレン樹脂、ポリエチレンテレフタレート樹脂、グリコール変性ポリエチレンテレフタレート樹脂、ポリ塩化ビニル樹脂（ＰＶＣ）、熱可塑性エラストマー、又はこれらの共重合体、シクロオレフィンポリマー等が挙げられる。溶融押出し易さを考慮すると、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、ポリエチレン樹脂、ポリエチレンテレフタレート樹脂、グリコール変性ポリエチレンテレフタレート樹脂のような溶融粘度の低い樹脂を用いるのが好ましい。エンボスローラの表面に形成されたレンズ形状が転写され易く、エンボス時にレンズ層にひび割れが生じにくいという理由から、グリコール変性ポリエチレンテレフタレート樹脂を用いるのがより好ましい。レンチキュラーレンズ１２は、複数の樹脂を含んで構成されていてもよい。
【００２３】
（レンチキュラー画像）
レンチキュラー画像１４は、２つの表示用画像をそれぞれ別々に表示するための表示用画像列１４Ａ，１４Ｂと、隣接する表示用画像列１４Ａ，１４Ｂの間に配置された補間画像列１４Ｃとを含む画像列群から構成されている。具体的には、各表示用画像からストライプ状に抽出された表示用画像列１４Ａ，１４Ｂが対応する位置の凸状レンズ１２Ａごとに隣接して配列されており、隣接する表示用画像列１４Ａ，１４Ｂの間に、隣接する表示用画像列１４Ａ，１４Ｂの色が互いに異なる位置において、隣接する表示用画像列１４Ａ，１４Ｂの一方の色と他方の色との間にある色（補間色）を有する補間画像列１４Ｃが配置されている。
【００２４】
図２は、本開示のレンチキュラー表示体における１つのレンズ（ｎ番目のレンズ）１２Ａｎ下に配置されている画像列群の一例を示す概略斜視図であり、図３は、画像列群を示す概略平面図である。ｘ方向はレンズの幅方向を示し、ｙ方向はレンズの長手方向を示している。
本実施形態では、１本のレンズ下において、それぞれレンズの長手方向ｙと平行に配置され、かつ、レンズの幅方向に配列した１２列の画像列からなる画像列群１００ｎが配置されている。画像列群１００ｎは、第１表示用画像列１４ａｎが５本並列した第１表示用画像配列１４Ａｎと、第２表示用画像列１４ｂｎが５本並列した第２表示用画像配列１４Ｂｎと、２つの補間画像列１４ｃｎ１，１４ｃｎ２から構成されている。
【００２５】
第１表示用画像列１４ａｎは、長手方向ｙに色分けされ、それぞれ赤色（「Ｒ」と略記する場合がある。）部分と緑色（「Ｇ」と略記する場合がある。）部分を有する。第２表示用画像列１４ｂｎは、青色（「Ｂ」と略記する場合がある。）を有している。
一方、補間画像列１４ｃｎ１，１４ｃｎ２は、隣接する第１表示用画像列１４ａｎのＲ部分と第２表示用画像列１４ｂｎとの間に相当する位置では、ＲとＢの間にある紫色（「Ｐ」と略記する場合がある。）を有し、第１表示用画像列１４ａｎのＧ部分と第２表示用画像列１４ｂｎとの間に相当する位置では、ＧとＢの間にある青緑色（「ＢＧ」と略記する場合がある。）を有している。
【００２６】
ここで、マンセル表色系について説明する。マンセル表色系は色を定量的に表す体表色系の１つであり、色彩を色の三属性（色相、明度、彩度）によって表現し、ＪＩＳ  Ｚ  ８７２１（三属性による色の表示方法）として規格化されている。色相は赤、黄、緑、青、紫といった色の様相の相違であり、明度は色の明るさを意味し、彩度は色の鮮やかさを意味する。
図４は、マンセルの色相環の一例を示している。図４において、各記号は、それぞれＲ：赤、ＹＲ：黄赤、Ｙ：黄、ＧＹ：黄緑、Ｇ：緑、ＢＧ：青緑、Ｂ：青、ＰＢ：紫青、Ｐ：紫、ＲＰ：赤紫を意味する。図４に示す色相環では、これらの１０通りの各色相をさらに２つに分けた色相（例えば、Ｒについては５Ｒと１０Ｒ）が表示されているが、各色相を１０で分割して（例えば、Ｒについては、１Ｒ〜１０Ｒ）１００通りの色相に分けることができる。
【００２７】
補間画像列１４ｃの補間色、すなわち、隣接する表示用画像列の一方の色と他方の色との間にある色とは、色相については、図４に示す色相環において一方の色と他方の色との間の円弧の長さが短い側に配置されている色相を意味する。例えば、第１表示用画像列１４ａｎの色相が５Ｒであり、第２表示用画像列１４ｂｎの色相が５Ｂである場合、５Ｒから５Ｐを経て５Ｂまでの間に位置する色相が、第１表示用画像列と第２表示用画像列との間に配置されている補間画像列がとり得る色相となる。
一方、例えば、第１表示用画像列の色相が５Ｒであり、第２表示用画像列の色相が５ＢＧである場合、５Ｒと５ＢＧは色相環の中心に対して対向する位置にあり、１０ＰＢ側の円弧と１０Ｙ側の円弧は同じ長さとなる。この場合、補間画像列は５Ｒと５ＢＧ以外のいずれの色相も取り得るが、５Ｒと５ＢＧの波長の間にある側、すなわち、１０Ｙ側の円弧に位置する色相を採用することが好ましい。
【００２８】
また、図５は、マンセル表色系の色相、明度、彩度を全て含めて体系化した色立体を示している。
明度は、無彩色の中で最も明るい白を明度の１０とし最も暗い黒を明度０とし、その中間の明るさ、いわゆる灰色に１−９の数字を割り当てる。彩度は、色のない無彩を０として色の鮮やかさの度合いにより数字を大きくしていく。彩度は上記の色相と明度によって最大値が異なり、最も大きい５Ｒでは１４、低い５ＢＧでは１０となる。
色の三属性を併せた表記法は、「色相  明度／彩度」であり、例えば、色相が５Ｒ、明度が４、彩度が１０であれば、５Ｒ  ４／１０と表記する。補間画像列の色（補間色）として、例えば、三属性が全て第１表示用画像列の色と第２表示用画像列の色との間にある色（中間色）を選択することができる。
【００２９】
なお、前述した図２及び図３に示すｎ番目のレンズ下の画像列群では、第１表示用画像配列側で隣接するレンズ（ｎ−１番目のレンズ）下に配置されている第２表示用画像列（図示せず）も青色（Ｂ）を有することを前提として２つの補間画像列１４ｃｎ１，１４ｃｎ２は同じ色構成となっているが、補間画像列における補間色は、その補間画像列が配置されている隣接する表示用画像列の色に対して、対応した位置に応じた補間色を有する。
【００３０】
なお、一方の表示用画像列の色が赤（例えば、２．５Ｒ）の場合は明度と彩度の和が１６以上が好ましく、１８以上がより好ましい。もう一方（他方）の表示用画像列の色の彩度は３以下が好ましく、２以下がより好ましく、１以下が最も好ましい。
【００３１】
また、一方の表示用画像列の色が緑（例えば、２．５Ｇ）の場合は明度は６以上が好ましく、彩度が８以上が好ましく、１０以上が最も好ましい。もう一方（他方）の表示用画像列の色の彩度は３以下が好ましく、２以下がより好ましく、１以下が最も好ましい。
【００３２】
また、一方の表示用画像列の色が青（例えば、５ＰＢ）の場合は明度は５以上が好ましく、彩度が１２以上が好ましい。もう一方（他方）の表示用画像列の色の彩度は３以下が好ましく、２以下がより好ましく、１以下が最も好ましい。
【００３３】
図６は、ｎ番目のレンズ下の第１表示用画像配列１４Ａｎ側で隣接するｎ−１番目のレンズ下の第２表示用画像列１４ｂｎ−１が黄色（Ｙ）である例を示している。この場合、ｎ−１番目のレンズ下の第２表示用画像列（Ｙ）１４ｂｎ−１とｎ番目のレンズ下の第１表示用画像列（Ｒ及びＧ）１４ａｎとの間に配置されている第１補間画像列１４ｃｎ１は、ｎ−１番目のレンズ下の第２表示用画像列（Ｙ）１４ｂｎ−１とｎ番目のレンズ下の第１表示用画像列１４ａｎのＲ部分との間では黄赤色（ＹＲ）を有し、ｎ−１番目のレンズ下の第２表示用画像列（Ｙ）１４ｂｎ−１とｎ番目のレンズ下の第１表示用画像列１４ａｎのＧ部分との間では黄緑色（ＧＹ）を有している。
【００３４】
図３、図６に示した各表示用画像列は幅方向ｘにおいて色の変化がなく、第１表示用画像列と第２表示用画像列との間に配置されている補間画像列も幅方向ｘには色の変化が無いが、各表示用画像例が幅方向ｘで色が変化している場合は、補間画像列も表示用画像列の色の変化に応じた補間色を有する。図７は、隣接する第１表示用画像列１４ａｒ（赤系統）と第２表示用画像列１４ｂｂ（青系統）が、それぞれレンズの幅方向ｘ及び長手方向ｙに色が変化している例を示している。第１表示用画像列１４ａｒと第２表示用画像列ｂｂとの間に配置されている補間画像列１４ｃｐ（紫系統）も位置に応じて２つの表示用画像列の色の補間色となっており、例えば、ＳとＴで示す位置においてそれぞれ２つの表示用画像列の色の補間色となっている。
【００３５】
このように隣接する第１表示用画像列と第２表示用画像列との間で、位置に応じて第１表示用画像列の色と第２表示用画像列の色との間の色（補間色）を有する補間画像列が配置されていることで、観察者がレンチキュラー表示体を観察する角度が変化する際、補間画像を介して第１表示用画像と第２表示用画像とが切り替わるため、２つの表示用画像が重なって画像の識別が困難となるころが抑制されることになる。
【００３６】
本実施形態におけるレンチキュラー画像１４は、複数の表示用画像からそれぞれストライプ状に抽出された表示用画像列がそれぞれ対応する位置に隣接して配列され、且つ、互いに異なる表示用画像から抽出され、少なくとも一部において互いに色が異なる隣接する表示用画像列の間に、隣接する表示用画像列の一方の色と他方の色との間にある色を有する補間画像列が配置された画像列群を作ることによって形成することができる。
【００３７】
各凸状レンズ下において隣接する表示用画像列間に配置される補間画像列は、隣接する表示用画像列の一方の色と他方の色との間にある色（補間色）を有していればよく、各補間画像列の作成の仕方は特に限定されない。例えば、隣接する表示用画像列がストライプ状に抽出される元の２つの表示用画像の一方を他方に対して同じ割合で色を変化させた補間画像を作成し、補間画像から、それぞれ対応する位置において隣接する表示用画像列の間に配置される補間画像列を作ることが好ましい。なお、表示用画像の切り替えにおいて変化する部分のみから補間画像を作成してもよいし、表示用画像の切り替えにおいて変化しない部分も含めて画像全体から補間画像を作成してもよい。
【００３８】
また、レンチキュラー画像１４は、レンチキュラーレンズの裏面側に配置された記録媒体に形成されていてもよいし、レンチキュラーレンズの裏面（平滑面）にレンチキュラー画像が直接形成されていてもよい。
例えば、紙、プラスチック等の記録媒体の表面に上記方法によってレンチキュラー画像を形成した画像層を形成し、記録媒体のレンチキュラー画像が形成された面と、半円筒形状の表面を有する複数の凸状レンズが並列したレンチキュラーレンズの半円筒形状の表面とは反対側の面とを、例えば透明な接着層を介して又は接着層を介さずに貼り合わせることで本実施形態に係るレンチキュラー表示体を製造することができる。
【００３９】
以下、本開示の実施形態に係るレンチキュラー表示体及びレンチキュラー画像の形成方法についてさらに具体的に説明する。
【００４０】
図８は、本実施形態に係るレンチキュラー表示体の一例において別々に表示する２つの表示用画像と、２つの表示用画像から作られた補間画像の一例を示す概略図である。図９は、図８におけるＳで示す領域の画像配列の一例を示す概略図である。図１０は、図９に示す画像列群１００ｎを含むレンチキュラー表示体の厚さ方向の構成の一例を示す概略図であり、一部は省略されている。
【００４１】
図８に示す表示用画像Ａ（画像Ａ）と表示用画像Ｂ（画像Ｂ）は、それぞれ文字の色と背景の色が互いに異なり、画像Ａ，Ｂに含まれる各文字の一部のみを除いて画像が大きく変化する。補間画像Ｃは、画像Ａ及び画像Ｂから作られており、画像Ａ，Ｂの切り替えにおいて色が変化しない位置（各文字の一部）は、画像Ａ，Ｂの対応する位置と同じ色であり、他の部分は画像Ａと画像Ｂの中間の色となっている。
【００４２】
なお、画像Ａ，Ｂから作られる補間画像Ｃは、各表示用画像Ａ，Ｂの対応する位置の各色の間にある色（補間色）を有していればよい。例えば、一方の画像を構成する全ての画素の色について、マンセル表色系を構成する色相、明度、及び彩度のいずれか１つ以上の要素（属性）を他方の画像に同じ割合で近づけた補間画像が挙げられる。補間画像Ｃは、マンセル表色系を構成する色相、明度及び彩度の各要素がそれぞれ画像Ａと画像Ｂの中間に近いほど好ましい。
【００４３】
本実施形態に係るレンチキュラー表示体は、レンチキュラーレンズ側から観察したときに見る角度によって表示用画像Ａ，Ｂが切り替わるように、レンチキュラーレンズ下のレンチキュラー画像には、各表示用画像Ａ，Ｂをそれぞれストライプ状に分割して抽出された表示用画像列が、対応する位置の凸状レンズごとに配列されている。さらに、各表示用画像Ａ，Ｂからそれぞれ抽出された隣接する表示用画像列の間には、補間画像Ｃの対応する位置においてストライプ状に抽出された補間画像列が配置されている。隣接する表示用画像列の間に１つの補間画像列を配置する場合、いずれか一方の表示用画像と補間画像とが重なって見えるときでもその表示用画像を識別できるように、補間画像列は、隣接する表示用画像列のそれぞれの色に対して、マンセル表色系を構成する色相、明度、及び彩度の各要素がそれぞれ中間となっていることが好ましい。
【００４４】
例えば、図８に示すように、画像Ａ，Ｂのそれぞれｎ番目の凸状レンズに対応した位置のＳで示す領域には、図９に示すように画像Ａから抽出された画像列Ａｎと画像Ｂから抽出された画像列Ｂｎとの間に、補間画像Ｃの対応する位置から抽出された画像列Ｃｎが配置されている。また、ｎ番目の凸状レンズ下に配列された画像列Ｂｎのｎ＋１番目の凸状レンズ側にも補間画像Ｃの対応する位置から抽出された画像列Ｃｎが配置されている。さらに、ｎ−１番目の凸状レンズ下及びｎ＋１番目の凸状レンズ下でも各画像Ａ，Ｂ，Ｃのそれぞれ対応する位置から抽出された画像列が並列した状態で配置されている。このような配列により、画像列Ｂｎ−１と画像列Ａｎとの間に補間画像列Ｃｎ−１が配置され、画像列Ｂｎと画像列Ａｎ＋１との間に補間画像列Ｃｎが配置され、他の凸状レンズ下でも同様に画像列が配列されている。
【００４５】
このような画像列群によって形成されたレンチキュラー画像をレンチキュラーレンズ側から観察した場合、観察する角度によって、表示用画像Ａのみ又は表示用画像Ｂのみが表示されるほか、画像Ａと補間画像Ｃとが重なった画像、及び、画像Ｂと補間画像Ｃとが重なった画像も表示される角度が存在するが、画像Ａと画像Ｂとがほぼ半分ずつ重なって文字の識別が困難となる角度はほとんど又は全く無くなる。なお、画像Ａと補間画像Ｃとが重なった表示は画像Ａに近く、画像Ｂと補間画像Ｃとが重なった表示は画像Ｂに近いため、本実施形態に係るレンチキュラー表示体は、例えば表示用画像Ａ，Ｂがそれぞれ文字を含む場合に可読性を向上させることができる。
【００４６】
図８〜図１０においては、１つの凸状レンズ下に１２列の画像列が配列されているが、本実施形態において１つの凸状レンズ下に配列される画像列の数は３つ以上であれば限定されない。なお、１つの凸状レンズ下に配列される画像列の数が多いほど解像度が高くなるが、画像配列群のデータ容量が大きくなるため、１つの凸状レンズ下に配列される画像列の数は、３列以上１２列以下であることが好ましい。
【００４７】
図１１は、本実施形態に係るレンチキュラー表示体の他の例において別々に表示する２つの表示用画像と、２つの表示用画像から作られた補間画像の一例を示す概略図である。図１２は、図１１においてＴで示す領域の画像配列の一例を示す概略図である。
【００４８】
本実施形態に係るレンチキュラー表示体は、見る角度によって表示用画像Ａ又は表示用画像Ｄを表示することを目的としている。表示用画像Ａ、Ｄにそれぞれ含まれる文字自体は異なるが、文字の色及び背景の色は互いに同じであり、表示用画像Ａと表示用画像Ｄの切り替えでは、各表示用画像Ａ，Ｄにそれぞれ含まれる文字の一部のみが変化する。
補間画像Ｅは、表示用画像Ａと表示用画像Ｄに基づいて作られており、表示用画像Ａと表示用画像Ｄの切り替えで変化する部分のみ、色相、明度及び彩度の各要素（属性）がそれぞれ中間となる色を有している。そして、例えば、画像Ａと画像Ｄの切り替えの際に色が変化するｉ番目（ｉは任意の整数）の凸状レンズ下のＴで示される領域では、図１２に示すように、画像Ａ，Ｄ，Ｅのそれぞれ対応する位置においてストライプ状に抽出された画像列Ａｉ、画像列Ｅｉ、画像列Ｄｉ、画像列Ｅｉが配列されている。
【００４９】
このような形態のレンチキュラー表示体においても、観察する角度によって、表示用画像Ａのみ又は表示用画像Ｄのみが表示されるほか、表示用画像Ａと補間画像Ｅとが重なった画像、及び、表示用画像Ａと補間画像Ｅが重なった画像が表示される角度も存在するが、表示用画像Ａと表示用画像Ｄとがほぼ半分ずつ重なって文字の判読が困難となる角度はほとんど又は全く無くなり、表示用画像Ａ，Ｄにそれぞれ含まれる文字の可読性を向上させることができる。
【００５０】
図１３は、２つの表示用画像から作られた３つの補間画像の一例を示す概略図である。図１４は、図１３においてＳで示す領域の画像列群を示す概略図である。図１５は、図１４に示す画像列群１００ｎを含むレンチキュラー表示体の厚さ方向の構成の一例を示す概略図であり、一部は省略されている。
【００５１】
図１３に示す表示用画像Ａ，Ｂは、図８に示す表示用画像Ａ，Ｂと同様、それぞれ文字の色と背景の色が互いに異なり、画像Ａ，Ｂに含まれる各文字の一部のみを除いて画像が大きく変化する。
一方、補間画像ａ、Ｃ、ｂは、いずれも２つの表示用画像Ａ，Ｂに基づいて作られた補間画像であり、それぞれ表示用画像Ａ，Ｂの間で色が変化する位置において、色が段階的に変化している。具体的には、色相、明度及び彩度のそれぞれが、補間画像ａは表示用画像Ｂよりも表示用画像Ａに近く、補間画像ｂは表示用画像Ａよりも表示用画像Ｂに近く、補間画像Ｃは表示用画像Ａと表示用画像Ｂの中間となっている。
【００５２】
そして、本実施形態に係るレンチキュラー表示体におけるｎ番目の凸状レンズ下には、図１４に示すように２つの表示用画像Ａ，Ｂがそれぞれストライプ状に分割されて抽出された表示用画像列Ａｎ、Ｂｎの間に、色（補間色）が段階的に変化した３つの補間画像列ａｎ、Ｃｎ、ｂｎが並列して配置（すなわち、インターレースされた画像列群が配置）されている。これらの補間画像列ａｎ、Ｃｎ、ｂｎは、それぞれ図１３に示す補間画像ａ、Ｃ、ｂがそれぞれ対応する位置においてストライプ状に分割されて抽出された画像列である。
【００５３】
他の凸状レンズ下でも各位置に対応した表示用画像Ａ，Ｂと補間画像ａ、Ｃ，ｂから抽出された画像列群が同様に並列して配置されている。このように隣接する一方の表示用画像列Ａｎの色から他方の表示用画像列Ｂｎの色に向けて色が段階的に変化して近づく複数の補間画像列ａｎ、Ｃｎ、ｂｎが並列して配置されていることで、表示用画像Ａと表示用画像Ｂとが重なって表示されることをより確実に抑制することでき、表示用画像Ａ，Ｂにそれぞれ含まれる文字の可読性を向上させることができる。さらに、表示用画像Ａと表示用画像Ｂとが徐々に切り替わる（モーフィング）効果を顕著に奏することができる。
【００５４】
なお、隣接する表示用画像列の間に複数の補間画像列（すなわち、補間画像配列）を並列して配置させる場合、同じ補間画像列を並列してもよいが、モーフィング効果を与える観点から、図１３及び図１４に示すように、一方の表示用画像列Ａｎと表示用画像列Ｂｎとの間で色が段階的に変化した複数の補間画像列ａｎ、Ｃｎ、ｂｎが、距離が近い側の表示用画像列に色が近づくように並列して配置されていることが好ましい。
【００５５】
また、隣接する表示用画像列Ａｎ，Ｂｎの間に配置される補間画像列の数は限定されず、例えば、図１３に示す３種の補間画像ａ、Ｃ、ｂのうち２つの補間画像から作られる補間画像列（例えば、図１４に示す補間画像列ａｎ、ｂｎ）が配列されていてもよい。
なお、４つ以上の補間画像列が配列されていてもよいが、１つの凸状レンズ下において補間画像列が占める領域を広くするほど表示用画像列Ａｎ，Ｂｎを配列する領域が狭くなり、表示用画像Ａ，Ｂの解像度が低下し、また、レンチキュラー表示体を様々な方向から観察したときに、表示用画像Ａのみ又は表示用画像Ｂのみが観察される角度が狭くなる。
かかる観点から、１つの凸状レンズ下に配列される補間画像列の数に関わらず、１つの凸状レンズの幅方向において補間画像列が占める割合は３４％以下であることが好ましく、１７％以下であることがより好ましい。
【００５６】
本開示に係るレンチキュラー表示体は、変化する割合の多い画像に対しても有効であり、特に文字の可読性を高めることができる。
【実施例】
【００５７】
以下に実施例を挙げて本発明をさらに具体的に説明するが、本発明は、以下の実施例に限定されるものではない。【００５８】
（レンチキュラー表示体の作製）
１つのレンズ下に１２列の画像列が配列される画像列群において、２〜６列目に第１表示用画像列、８〜１２列目に第２表示用画像列、１列目と７列目に補間画像列を配列したレンチキュラー画像を作成した。各画像列はマンセル表色系の色立体に基づき、第１表示用画像列と第２表示用画像列は互いに色が異なり、補間画像列は第１表示用画像列の色と第２表示用画像列の色との補間色を有する構成とした。【００５９】
紙面上に上記レンチキュラー画像を形成し、レンチキュラーレンズの各レンズごとに上記構成の画像列群が配置されるようにレンチキュラー画像上に透明な接着層を介してレンチキュラーレンズを配置してレンチキュラー表示体を作製した。【００６０】
（視認性評価）
上記作製したレンチキュラー表示体について、１０名の２０代の女性がレンチキュラー表示体を傾けて、画像変化を見た際に画像の識別に困難性を感じなかった人数を合格とした人数とした。視認性について合格とした人数が４人以上であれば画像の識別に優れると言える。
各画像列の色と評価結果について下記表１〜表３に示す。【００６１】
【表１】
0006454002.tif 000002
【００６２】
【表２】
0006454002.tif 000003
【００６３】
【表３】
0006454002.tif 000004
【００６４】
以上、本開示の実施形態について説明したが、本発明は上記実施形態に限定されるものではない。
例えば見る角度によって表示用画像が切り替わる際に色が変化しない領域、例えば、図１１に示す表示用画像Ａ，Ｄにおいて凸状レンズ下に文字の一部が配置されていない領域では色の変化が生じないため、隣接する表示用画像列間に配置される補間画像列はこれらの表示用画像列と同じ色を有する。そのため、表示用画像が切り替わる際に色が変化しない領域については、補間画像列による変化はなく、隣接する表示用画像列の間に補間画像列が配置されていなくてもよい。【００６５】
また、上記実施形態では、いずれも２つの表示用画像を表示する場合について説明したが、本開示は、１つのレンチキュラー表示体によって３つ以上の表示用画像を表示する場合にも同様に適用することができる。例えば、３つの表示用画像を表示する場合、３つの表示用画像からそれぞれストライプ状に抽出された表示用画像列を、それぞれ対応する位置の凸状レンズごとに隣接して配列する。また、互いに異なる表示用画像から抽出され、少なくとも一部において互いに色が異なる隣接する表示用画像列の間に、隣接する表示用画像列の一方の色と他方の色との間にある色（補間色）を有する補間画像列をそれぞれ配置した画像列群を作ればよい。【００６６】
また、レンチキュラー画像のレンチキュラーレンズが配置されている側とは反対側の面（裏面）にレンチキュラー画像を保護するための保護層を設けてもよい。保護層としては、紙、樹脂フィルム、金属シート、発泡スチロール等が挙げられる。また、レンチキュラー画像の裏面に塗料を塗布し、乾燥させることで保護層を設けてもよい。【００６７】
２０１５年３月３１日に出願された日本特許出願２０１５−０７４４８１号の開示はその全体が参照により本明細書に取り込まれる。
本明細書に記載された全ての文献、特許、特許出願、および技術規格は、個々の文献、特許、特許出願、および技術規格が参照により取り込まれることが具体的かつ個々に記された場合と同程度に、本明細書中に参照により取り込まれる。
【図１】
0006454002.tif 000005
【図２】
0006454002.tif 000006
【図３】
0006454002.tif 000007
【図４】
0006454002.tif 000008
【図５】
0006454002.tif 000009
【図６】
0006454002.tif 000010
【図７】
0006454002.tif 000011
【図８】
0006454002.tif 000012
【図９】
0006454002.tif 000013
【図１０】
0006454002.tif 000014
【図１１】
0006454002.tif 000015
【図１２】
0006454002.tif 000016
【図１３】
0006454002.tif 000017
【図１４】
0006454002.tif 000018
【図１５】
0006454002.tif 000019
【図１６】
0006454002.tif 000020
【図１７】
0006454002.tif 000021
【図１８】
0006454002.tif 000022